【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
開口部を有する筐体と、前記筐体内に設けられるとともに被洗浄物を収容し洗浄する洗浄槽と、前記洗浄槽の外壁前面に設けられた扉体と、前記扉体に設けられるとともに使用者による運転操作指示を受け付ける押圧部と、前記扉体と前記洗浄槽との間に設けられた固定部材に固定された制御基板と、前記制御基板に設けられた入力釦と、を有し、前記押圧部からの入力を前記入力釦に伝える伝達部とを備えた食器洗い機。
【請求項２】
前記押圧部が押圧されたときに、前記伝達部の上部および下部はそれぞれ前記押圧部および前記入力釦と当接する請求項１記載の食器洗い機。
【請求項３】
前記制御基板を覆う金属製の蓋部材を前記固定部材に固定した請求項１または２に記載の食器洗い機。
【請求項４】
前記押圧部に対応する樹脂膜の表示を前記蓋部材に設けた請求項３に記載の食器洗い機。
【手続補正２】
【補正対象書類名】明細書
【補正対象項目名】全文
【補正方法】変更
【補正の内容】
【発明の詳細な説明】
【発明の名称】食器洗い機
【技術分野】
【０００１】
本発明は洗浄ノズルより食器に向けて洗浄水を噴射して食器を洗浄するビルトインタイプの食器洗い機に関するものである。
【背景技術】
【０００２】
図４は従来の食器洗い機を示すものである。図４に示すように、システムキッチンに収容された筐体１内に設けた洗浄槽２は、上方に開口部３を設け、筐体１の内部に食器類４を収容する食器かご５を配置している。食器かご５の下方には洗浄ノズル６を回転自在に設けており、洗浄槽２内に溜めた洗浄水をポンプ７によって循環させ、洗浄ノズル６より
噴射して食器類４を洗浄する。
【０００３】
また、洗浄槽２の下方にはレール８を固定し、前後方向へ平行移動可能に支持されている。食器類４の出し入れを行う際には、操作部９を配設した扉体１０に一体的に形成された把手部１１をつかみ、洗浄槽２を前方に引き出し、開口部３より食器類４の収容をする。次に洗浄槽２を筐体１内に戻し収納する。操作部９により運転を開始すると、洗浄槽２の底部に配置されたヒータ１２よって洗浄水を加熱しながら、洗浄ノズル６から食器類４に向かって噴射し、食器類４の汚れを落とす洗浄行程を行う。その後、食器類４をすすいだ後、乾燥行程を行って運転を終了するようになっている。
【０００４】
また、操作部９は、使用者による運転操作指示を受け付ける押圧部１３を押すことにより、扉体１０の裏面に固定部材１４を介して取り付けた制御基板１５へ入力し運転を制御するよう構成している（例えば、特許文献１参照）。
【特許文献１】特開２０００−１３９７９９号公報
【発明の開示】
【発明が解決しようとする課題】
【０００５】
しかしながら、このような従来の食器洗い機の構成では、システムキッチンに収容された状態において、制御基盤１５を扉体１０内部に設けているので、保守・メンテナンスのために扉体１０を外して筐体１内部を確認しながらの運転確認をする際に、制御基板１５への配線１６が筐体１内と接続されているため、扉体１０を別に保持する必要がある。しかし、通常の配線１６は製品組立に最低限の長さに設定しているため、扉体１０を保持し難く、配線１６は短く、筐体１内を視認することができず、メンテナンスのための作業がしにくいという問題を有していた。
【０００６】
本発明は、上記従来の課題を解決するもので、システムキッチン等に収納された状態で、扉体を取り外して、筐体内部を視認しながら運転確認できるため、保守・メンテナンスを容易に行うことを目的としている。
【課題を解決するための手段】
【０００７】
本発明の上記従来の課題を解決するために、本発明の食器洗い機は、前記扉体と前記洗浄槽との間に設けられた固定部材に固定された制御基板と、制御基板に設けられた入力釦と、を有し、押圧部からの入力を入力釦に伝える伝達部とを備えたものでシステムキッチン等に収納された状態で、扉体を取り外して、筐体内部を視認しながら運転確認できるため、保守・メンテナンスを容易に行うことができる。
【発明の効果】
【０００８】
本発明の食器洗い機によれば、システムキッチン等に収納された状態で、扉体を取り外して、筐体内部を視認しながら運転確認できるため、保守・メンテナンスを容易に行うことができる。
【発明を実施するための最良の形態】
【０００９】
第１の発明は、開口部を有する筐体と、前記筐体内に設けられるとともに被洗浄物を収容し洗浄する洗浄槽と、前記洗浄槽の外壁前面に設けられた扉体と、前記扉体に設けられるとともに使用者による運転操作指示を受け付ける押圧部と、前記扉体と前記洗浄槽との間に設けられた固定部材に固定された制御基板と、前記制御基板に設けられた入力釦と、を有し、前記押圧部からの入力を前記入力釦に伝える伝達部とを備えたことにより、システムキッチン等に収納された状態で、扉体を取り外して、筐体内部を視認しながら運転確認できるため、保守・メンテナンスを容易に行うことができる。
【００１０】
第２の発明は、第１の発明において、特に、押圧部が押圧されたときに、伝達部の上部および下部はそれぞれ前記押圧部および入力釦と当接することにより、押圧部から入力釦までの距離が離れていても、伝達部により入力釦の位置とのズレを少なくした安定した入力操作をすることができるとともに、扉体を外した状態でも、伝達部を押すことで入力操作を行うことができ、より保守・メンテナンスを容易に行うことができる。
【００１１】
第３の発明は、第１又は第２の発明において、特に、制御基板を覆う金属製の蓋部材を固定部材に固定したことにより、制御基板をより安全に使用することができる。
【００１２】
第４の発明は、第３の発明において、特に、押圧部に対応する樹脂膜の表示を蓋部材に設けたことにより、扉体を外した状態で試運転を行う際に、各伝達部が入力された際に駆動する制御内容を視認することができ、また樹脂膜を設けたことにより、伝達部と蓋部材の隙間から制御基板などに水滴が浸入することを防ぐことができる。
【００１３】
以下、本発明の実施の形態について、図を参照しながら説明する。
【００１４】
なお、この実施の形態によって本発明が限定されるものではない。
【００１５】
（実施の形態１）
図１は本発明の第１の実施の形態における食器洗い機の縦断面図、図２は同食器洗い機の正面図、図３は同食器洗い機の扉体を外した状態の正面図である。
【００１６】
図１〜３において、システムキッチンに収容された筐体２０は、前面に開口部２１を有し、筐体２０内に被洗浄物である食器類２２を収容し洗浄する洗浄槽２３を有し、洗浄槽２３の外壁前面に扉体２４を設けている。扉体２４は、洗浄槽２３を筐体２０内の最も奥まで収納したときに、開口部２１を閉塞する。
【００１７】
扉体２４は、上方前面に複数個のヒンジにより動作する押圧部２５を有した操作部２６を形成しているので、食器洗い機を使用する使用者が押圧部２５を押圧することにより、洗浄プログラムを選択するなどの運転操作支持を食器洗い機の前方からできるよう構成している。
【００１８】
また、洗浄槽２３は、内部に食器類２２を収容する食器かご２７を配置し、食器かご２７の下方には洗浄ノズル２８を回転自在に設けており、洗浄槽２３の底部に溜められる洗浄水を洗浄ポンプ２９によって循環させ、洗浄ノズル２８より噴射して食器類２２を洗浄するよう構成している。洗浄ポンプ２９は、洗浄槽２３の外壁底面に設けられている。
【００１９】
押圧部２５からの入力を受け食器洗い機の運転を制御する制御基板３１を、洗浄槽２３の外壁前面３０に設けられ前方が開口している固定部材３２に、固定している。制御基板３１は、洗浄ポンプ２９等の電装部品と配線３３により接続している。
【００２０】
制御基板３１は、複数の入力釦３４と、複数の押圧部２５からの入力を複数の入力釦３４にそれぞれ伝える複数の伝達部３５が設けられ、伝達部３５の上部および下部は、押圧部２５が押圧されヒンジにより動作したときに、それぞれ押圧部２５および入力釦３４と当接するよう構成している。制御基板３１を前方から覆う蓋部材３６は固定部材３２に固定されており、洗浄ポンプ２９等と接続している配線３３は、固定部材３２の下方に設けられた切欠部から固定部材３２の外側へ引き出されている。
【００２１】
また、蓋部材３６は、発火を防止するために鉄などの金属で作られており、伝達部３５に対応する部分に略円形の穴を有しており、押圧された押圧部２５が伝達部３５に直接当
接するように構成されている。
【００２２】
次に上記構成における食器洗い機の動作について説明すると、使用者が扉体２４に設けた押圧部２５を押すことで、制御基板３１に設けられた伝達部３５を介して入力釦３４が押されて、食器洗い機が制御される。
【００２３】
食器洗い機が正常に運転しないときは、食器洗い機の試運転を行う必要があるが、この際、配線３３と接続している制御基板３１は洗浄槽２３の外壁前面３０の固定部材３２に固定されているため、扉体２４を独立して取り外すことができるので、食器洗い機の故障原因を容易に把握することができる。例えば、扉体２４を外して、筐体２０と洗浄槽２３との間を視認しながら、伝達部３５を押して食器洗い機の試運転を行うことができるので、洗浄槽２３からの水漏れの有無を容易に確認することができる。また、洗浄槽２３の外壁底面に設けられている洗浄ポンプ２９の動作確認を視認して、行うことができるので、迅速かつ容易に洗浄ポンプ２９の不具合を把握することができる。また、洗浄ポンプ２９や乾燥のために洗浄槽２３に送風を行うファンに関しては、扉体２４を外して、洗浄ポンプ２９およびファンが運転する際に発する音を直接聞きながら、伝達部３５を押圧して食器洗い機を制御することができるので、洗浄ポンプ２９およびファンが通常の音を発しておらず、異音を発しているかどうかを容易に確認することができる。
【００２４】
このように、制御基板３１を使用した試運転が可能となることで、洗浄ポンプ２９や、配線３３等の制御基板３１以外の部品の故障確認もできるため、保守・メンテナンスを容易に行うことができる。
【００２５】
また、蓋部材３６に、押圧部２５に対応する樹脂膜３７の表示を設けた場合、扉体２４を外した状態で試運転を行う際に、各伝達部３５が入力された際に駆動する制御内容を視認することができ、また樹脂膜３７を設けたことにより、伝達部３５と蓋部材の隙間から制御基板３１などに水滴が浸入することを防ぐことができる。
【００２６】
また、蓋部材３６を取り外して、制御基板３１を視認しながら入力釦３４を押して、食器洗い機の動作確認を行うことができるので、制御基板３１に不具合があった場合も、容易に把握することができる。
【００２７】
また、押圧部２５と入力釦３４との間に、伝達部３５を設けているため、押圧部２５と伝達部３５、伝達部３５と入力釦３４のヒンジ動作による位置ズレを小さくすることができ、安定した入力操作をすることができるとともに、扉体２４を外した状態でも、伝達部３５を押すことで入力操作を容易に行うことができ、より保守・メンテナンスの際に作業を容易に行うことができる。
【００２８】
以上記載した本発明による食器洗い機は、前記扉体と前記洗浄槽との間に設けられた固定部材に固定された制御基板と、前記制御基板に設けられた入力釦と、を有し、押圧部からの入力を入力釦に伝える伝達部とを備えたもので、システムキッチン等に収納された状態で、扉体を取り外して、筐体内部を視認しながら運転確認できるため、保守・メンテナンスを容易に行うことができる。
【産業上の利用可能性】
【００２９】
以上のように、本発明にかかる食器洗い機は、システムキッチン等に収納された状態で、扉体を取り外して、筐体内部を視認しながら運転確認できるため、保守・メンテナンスを容易に行うことができるので、家庭用の食器洗い機のみならず、業務用の食器洗い機としても有用である。
【図面の簡単な説明】
【００３０】
【図１】本発明の実施の形態１における食器洗い機の縦断面図
【図２】同食器洗い機の正面図
【図３】同食器洗い機の扉体を外した状態の正面図
【図４】従来の食器洗い機の縦断面図
【符号の説明】
【００３１】
２０  筐体
２１  開口部
２２  食器類（被洗浄物）
２３  洗浄槽
２４  扉体
２５  押圧部
３０  外壁前面
３１  制御基板
３２  固定部材
３４  入力釦
３５  伝達部